(57)【要約】【課題】使用者が任意の状態に折り曲げて使用することができる記録媒体の提供。【解決手段】記録媒体１は、折り曲げても破損することなく使用できる印刷可能なシート状の印刷体２を備え、印刷体２は、印刷用情報が印刷される印刷部３と、印刷体２の面に設けられる磁気媒体にて構成される記録部４と、を備える。記録部４は、データを記録する。このような構成により、シート状の印刷体２は、印刷用情報が印刷される印刷部３と、データを記録する記録部４と、を備えるため、使用者が任意の状態に記録媒体１を折り曲げて使用することができる。【選択図】図１
2019121079.tif 000002
【特許請求の範囲】
【請求項１】
折り曲げても破損することなく使用できる印刷可能なシート状の印刷体を備え、
前記印刷体は、
印刷用情報が印刷される印刷部と、
前記印刷体の面に設けられる磁気媒体にて構成される記録部と、を備え、
前記記録部は、データを記録することを特徴とする記録媒体。
【請求項２】
請求項１に記載された記録媒体において、
前記印刷体は、紙であることを特徴とする記録媒体。
【請求項３】
請求項１または請求項２に記載された記録媒体において、
前記記録部は、
前記印刷体の一辺に沿って前記印刷体の面の中央に配置されることを特徴とする記録媒体。
【請求項４】
請求項１または請求項２に記載された記録媒体において、
前記記録部は、
前記印刷体の一辺に沿って前記印刷体の端部に配置されることを特徴とする記録媒体。
【請求項５】
請求項１から請求項４のいずれかに記載された記録媒体に書き込みを実行するライタと、
前記記録媒体に記録された前記データの読み取りを実行するリーダと、を備え、
前記ライタは、
前記データを前記記録部に記録する磁気ライタ部を備え、
前記リーダは、前記記録部に記録された前記データを読み取る磁気リーダ部を備えることを特徴とする情報記録システム。
【請求項６】
請求項５に記載された情報記録システムにおいて、
前記ライタは、
前記印刷用情報を前記印刷部に印刷するプリンタ部を備えることを特徴とする情報記録システム。
【請求項７】
請求項１から請求項４のいずれかに記載された記録媒体に書き込みを実行するライタであって、
前記データを前記記録部に記録する磁気ライタ部を備えることを特徴とするライタ。
【請求項８】
請求項７に記載されたライタにおいて、
前記印刷用情報を前記印刷部に印刷するプリンタ部を備えることを特徴とするライタ。
【請求項９】
請求項８に記載されたライタにおいて、
前記プリンタ部および前記磁気ライタ部は、前記印刷体を挟んで向かい合せて配置され、
請求項１から請求項４のいずれかに記載された記録媒体は、
前記印刷体の一方の面に前記印刷部が設けられ、前記印刷体の他方の面に前記記録部が設けられていることを特徴とするライタ。
【請求項１０】
請求項８または請求項９に記載されたライタにおいて、
前記データを記憶する記憶手段と、
前記プリンタ部および前記磁気ライタ部を制御する制御手段と、を備え、
前記制御手段は、
使用者の選択した前記データを前記記憶手段に記憶させるデータ記憶部と、
前記磁気ライタ部を制御して前記データを前記記録部に記録させる磁気ライタ制御部と、
前記データから前記印刷用情報を抽出する印刷用情報抽出部と、
前記プリンタ部を制御して前記印刷用情報抽出部により抽出された前記印刷用情報を前記印刷部に印刷させるプリンタ制御部と、を備えることを特徴とするライタ。
【請求項１１】
請求項８または請求項９に記載されたライタにおいて、
複数の前記データを記憶する記憶手段と、
前記プリンタ部および前記磁気ライタ部を制御する制御手段と、を備え、
前記制御手段は、
使用者の選択した第１のデータと、前記第１のデータとは異なるデータであり、使用者の選択した第２のデータと、を前記記憶手段に記憶させるデータ記憶部と、
前記磁気ライタ部を制御して前記第１のデータを前記記録部に記録させる磁気ライタ制御部と、
前記プリンタ部を制御して前記第２のデータを前記印刷用情報として前記印刷部に印刷させるプリンタ制御部と、を備えることを特徴とするライタ。
【請求項１２】
請求項１から請求項４のいずれかに記載された磁気媒体に記録された前記データの読み取りを実行するリーダであって、
前記記録部に記録された前記データを読み取る磁気リーダ部を備えることを特徴とするリーダ。
【発明の詳細な説明】
【技術分野】
【０００１】
本発明は、記録媒体およびこれを用いた情報記録システムに関する。
【背景技術】
【０００２】
従来、文字や画像などの印刷用情報が印刷される印刷部と、写真や音楽、動画などのデータを記録する記録部と、を備える記録媒体が知られている。記録媒体は、例えばフロッピーディスクやCD（Compact Disk）などである。
また、特許文献１に記載された情報記録媒体（記録媒体）は、プラスチックにて形成されるカード状の基材を備え、基材は、繰り返し印刷が可能なリライト領域（印刷部）と、電子情報を記憶する記憶領域を有する非接触型ＩＣチップ（記録部）と、を備えている。
【０００３】
リライト領域は、例えばプリペイドカードの残高やお勧め商品の宣伝画像などといった文字や画像など（印刷用情報）を繰り返し印刷することができる領域（印刷部）である。また、非接触型ＩＣチップには、情報記録媒体の所有者の番号が記録されている。所有者の番号は、情報記録媒体の所有者に関する詳細なデータが保存されたデータベースと関連付けられている。データベースは、所有者の番号に基づいて、例えば購入した商品の品名や個数、購入日時などの買い物履歴といった所有者に関する詳細なデータを保存している。データベースには、ネットワーク（インターネットやＬＡＮ（Local Area Network）等）を介してアクセスすることができる。
【０００４】
使用者は、専用の端末を用いて、情報記録媒体の非接触型ＩＣチップに記録された所有者の番号からネットワークを介してデータベースへアクセスし、データベースの情報に基づき、必要に応じてリライト領域の印刷用情報を繰り返し印刷する。また、使用者は、データベースにアクセスするための専用の端末があれば、情報記録媒体を鍵として、どこからでもネットワークを介してデータベースに保存された所有者の情報を取得したり、情報を更新したり、情報を登録したりすることができる。
【先行技術文献】
【特許文献】
【０００５】
【特許文献１】特開２００４−２５８６９９号公報
【発明の概要】
【発明が解決しようとする課題】
【０００６】
しかしながら、このような情報記録媒体におけるカード状の基材は、一度折れ曲がると元に戻らず、情報記録媒体として機能しなくなるという問題がある。また、非接触型ＩＣチップは、情報記録媒体を折り曲げることにより破損してしまう場合があるため、情報を読み取ることができなくなるという問題がある。
【０００７】
本発明の目的は、使用者が任意の状態に折り曲げて使用することができる記録媒体を提供することである。
【課題を解決するための手段】
【０００８】
本発明の記録媒体は、折り曲げても破損することなく使用できる印刷可能なシート状の印刷体を備え、印刷体は、印刷用情報が印刷される印刷部と、印刷体の面に設けられる磁気媒体にて構成される記録部と、を備え、記録部は、データを記録することを特徴とする。
【０００９】
ここで、データとは、文書や写真、動画、音楽等、記録媒体に記録することができる情報のことをいう。
また、印刷用情報とは、印刷体に印刷することができる情報のことをいう。
【００１０】
このような本発明によれば、折り曲げても破損することなく使用できるシート状の印刷体は、印刷用情報が印刷される印刷部と、データを記録する記録部と、を備えるため、使用者が任意の状態に記録媒体を折り曲げて使用することができる。
また、印刷体がシート状であることにより、任意に折り曲げて使用することができるため、記録媒体の形状における設計の自由度を向上させることができる。
さらに、印刷体がシート状であることにより、切断することが容易にできるため、記録媒体を簡単に廃棄することができる。また、記録媒体は、シート状であることにより、例えばポストに投函して郵送したり、手渡ししたりすること等ができるため、記録媒体に記録されたデータのやり取りを簡単にすることができる。
【００１１】
また、シート状の印刷体を備えるため、例えば印刷用情報を印刷部に印刷したり、データを記録部に記録したり、データを読み取ったりする機器に対して、複数の記録媒体を重ねて設置することができる。したがって、使用者は、記録媒体に対して、例えば印刷用情報を印刷部に印刷したり、データを記録部に記録したり、データを読み取ったりする都度、記録媒体を設置することなく、連続で例えば印刷用情報を印刷部に印刷したり、データを記録部に記録したり、データを読み取ったりすることができる。
【００１２】
ここで、特許文献１における情報記録媒体の非接触型ＩＣチップには、所有者の番号を除いた所有者のデータは記録されておらず、情報記録媒体とは別にネットワークを介してアクセス可能なデータベースを備えていなければならない。データベースを備える場合、情報記録媒体は、データベースにアクセスするための専用の端末を介して所有者の情報を取得しなければならず、情報記録媒体内に必要な情報を保存しておくことができない。
また、所有者の番号とデータベースに保存された所有者に関する詳細なデータとの関連付けに誤り（取り違い）が生じた場合、別の所有者の詳細なデータを開示してしまうこととなり、セキュリティー上の問題が生じる可能性がある。
【００１３】
しかしながら、本発明によれば、記録媒体は、ネットワークを介することなく必要な情報を記録媒体の記録部に記録することができる。したがって、記録媒体は、データを添付したメールの誤送信やインターネット等によるデータの流出を防ぎ、セキュリティーの向上を図ることができる。
また、印刷部および記録部は、同一の印刷体上に構成されるため、関連付けの誤りによるデータの取り違いを抑制することができる。
【００１４】
この際、印刷体は、紙であることが好ましい。
【００１５】
このような構成によれば、印刷体は紙であるため、記録媒体を安価に提供することができる。また、印刷体が紙であることにより、任意の大きさに切断したり、折り曲げたりすることができるため、記録媒体の形状における設計の自由度を向上させることができる。さらに、印刷体が紙であることにより、破いたり燃やしたりすることが容易にできるため、記録媒体を簡単に廃棄することができる。
【００１６】
この際、記録部は、印刷体の一辺に沿って印刷体の面の中央に配置されることが好ましい。
【００１７】
ここで、一般的なプリンタやスキャナ等の用紙ガイドは、所定の位置にセットされた紙などの印刷体に対して、その両側から中央に向かってスライドさせることにより、セットされた印刷体をプリンタやスキャナ等の中央に配置するように固定する。
【００１８】
したがって、このような構成によれば、例えば記録媒体にデータを記録するライタおよびデータを読み取るリーダが一般的なプリンタやスキャナ等の中央に配置されるとともに用紙ガイドの間に配置されていた場合、記録媒体の大きさが例えばＡ４サイズやＢ５サイズ等と異なったサイズであったとしても、印刷体の面の中央に記録部が配置されているため、ライタは確実にデータを記録することができ、リーダは確実に記録部からデータを読み取ることができる。
【００１９】
この際、記録部は、印刷体の一辺に沿って印刷体の端部に配置されることが好ましい。
【００２０】
このような構成によれば、記録部は、印刷体の一辺に沿って印刷体の端部に配置されているため、例えば記録媒体を折り曲げる加工をする場合は、記録部を避けて加工することができ、記録媒体は、記録部の破損を防ぐことができる。また、例えば記録媒体から記録部を切り離したい場合、記録部は印刷体の一辺に沿って印刷体の端部に配置されているため、例えばあらかじめ記録部に沿ってミシン目を付けておくことで、それに沿って破いたり、ハサミで切断することによって、簡単に記録媒体から記録部を切り離すことができる。
【００２１】
本発明の情報記録システムは、本発明の記録媒体に書き込みを実行するライタと、記録媒体に記録されたデータの読み取りを実行するリーダと、を備え、ライタは、データを記録部に記録する磁気ライタ部を備え、リーダは、記録部に記録されたデータを読み取る磁気リーダ部を備えることを特徴とする。
【００２２】
このような本発明によれば、情報記録システムにおけるライタは、磁気ライタ部を備えるため、磁気ライタ部によりデータを記録部に記録することができる。
また、リーダは、記録部に記録されたデータを読み取る磁気リーダ部を備えるため、必要な情報を記録媒体の記録部から読み取ることができる。
【００２３】
この際、情報記録システムにおけるライタは、印刷用情報を印刷部に印刷するプリンタ部を備えることが好ましい。
【００２４】
このような構成によれば、情報記録システムにおけるライタは、プリンタ部と磁気ライタ部とを備えるため、プリンタ部が印刷用情報を印刷部に印刷する際に、磁気ライタ部によりデータを記録部に記録することができる。したがって、ライタは、記録媒体における印刷用情報およびデータとの関連付けの誤りによるデータの取り違いを抑制することができる。
【００２５】
本発明のライタは、本発明の記録媒体に書き込みを実行するライタであって、データを記録部に記録する磁気ライタ部を備えることを特徴とする。
【００２６】
このような本発明によれば、ライタは、磁気ライタ部を備えるため、磁気ライタ部によりデータを記録部に記録することができる。
【００２７】
この際、ライタは、印刷用情報を印刷部に印刷するプリンタ部を備えることが好ましい。
【００２８】
このような構成によれば、ライタは、プリンタ部と磁気ライタ部とを備えるため、プリンタ部が印刷用情報を印刷部に印刷する際に、磁気ライタ部によりデータを記録部に記録することができる。
【００２９】
この際、プリンタ部および磁気ライタ部は、印刷体を挟んで向かい合せて配置され、本発明の記録媒体は、印刷体の一方の面に印刷部が設けられ、印刷体の他方の面に記録部が設けられていることが好ましい。
【００３０】
このような構成によれば、ライタにおけるプリンタ部および磁気ライタ部は、印刷体を挟んで向かい合せて配置され、本発明の記録媒体は、印刷体の一方の面に印刷部が設けられ、印刷体の他方の面に記録部が設けられているため、印刷用情報の印刷とデータの記録とを同時に実行することができ、記録媒体の作成に要する時間を短縮することができる。
【００３１】
この際、ライタは、データを記憶する記憶手段と、プリンタ部および磁気ライタ部を制御する制御手段と、を備え、制御手段は、使用者の選択したデータを記憶手段に記憶させるデータ記憶部と、磁気ライタ部を制御してデータを記録部に記録させる磁気ライタ制御部と、データから印刷用情報を抽出する印刷用情報抽出部と、プリンタ部を制御して印刷用情報抽出部により抽出された印刷用情報を印刷部に印刷させるプリンタ制御部と、を備えることが好ましい。
【００３２】
ここで、印刷用情報抽出部は、例えばデータから印刷可能な画像データや、ファイル名や日付などといった、データ記憶部が記憶手段に記憶させたデータと関連する印刷用情報を使用者の選択により抽出したり、自動的に所定の印刷用情報を抽出したりすることができる。また、印刷用情報抽出部は、データ記憶部が記憶手段にデータを記憶させると同時にあらかじめ設定された特定の印刷用情報を抽出してもよい。
【００３３】
このような構成によれば、制御手段は、データ記憶部にて記憶手段に記憶されたデータを記録部に記録する磁気ライタ制御部と、データ記憶部にて記憶手段に記憶されたデータから抽出された印刷用情報を印刷部に印刷させるプリンタ制御部と、を備えるため、印刷用情報とデータとを関連付けて記録媒体を作成することができる。したがって、ライタは、記録媒体を作成する際の関連付けの誤りによるデータの取り違いを抑制することができる。
【００３４】
この際、ライタは、複数のデータを記憶する記憶手段と、プリンタ部および磁気ライタ部を制御する制御手段と、を備え、制御手段は、使用者の選択した第１のデータと、第１のデータとは異なるデータであり、使用者の選択した第２のデータと、を記憶手段に記憶させるデータ記憶部と、磁気ライタ部を制御して第１のデータを記録部に記録させる磁気ライタ制御部と、プリンタ部を制御して第２のデータを印刷用情報として印刷部に印刷させるプリンタ制御部と、を備えることが好ましい。
【００３５】
このような構成によれば、制御手段は、データ記憶部にて記憶手段に記憶された第１のデータを記録部に記録する磁気ライタ制御部と、データ記憶部にて記憶手段に記憶された第２のデータを印刷用情報として印刷部に印刷させるプリンタ制御部と、を備えるため、例えば記録媒体における印刷部にはデータを郵送する郵送先の宛名を印刷し、記録部には動画のデータを記録させる等、互いに関連のないデータを記録媒体に印刷または記録させることができる。したがって、ライタは、記録媒体の用途の自由度を向上することができる。
【００３６】
本発明のリーダは、本発明の磁気媒体に記録されたデータの読み取りを実行するリーダであって、記録部に記録されたデータを読み取る磁気リーダ部を備えることを特徴とする。
【００３７】
このような本発明によれば、リーダは、記録部に記録されたデータを読み取る磁気リーダ部を備えるため、必要な情報を記録媒体の記録部から読み取ることができる。
【図面の簡単な説明】
【００３８】
【図１】第１実施形態に係る記録媒体を示す図
【図２】第１実施形態に係る情報記録システムを示すシステム図
【図３】第１実施形態に係るライタを示す図
【図４】第１実施形態に係るライタの断面図
【図５】第１実施形態に係るライタを制御するソフトウェアの図
【図６】第１実施形態に係るライタの制御方法を示すフローチャート
【図７】第１実施形態に係るリーダを示す図
【図８】第２実施形態に係る記録媒体を示す図
【図９】第３実施形態に係る記録媒体を示す図
【図１０】第３実施形態に係る情報記録システムを示すシステム図
【図１１】第３実施形態に係るライタを制御するソフトウェアの図
【図１２】第３実施形態に係るライタの制御方法を示すフローチャート
【発明を実施するための形態】
【００３９】
〔第１実施形態〕
以下、本発明の第１実施形態を図１〜図７に基づいて説明する。
図１は、第１実施形態に係る記録媒体を示す図である。具体的には、図１（Ａ）は、記録媒体の表面を示す図であり、図１（Ｂ）は、記録媒体の裏面を示す図である。
【００４０】
図１に示すように、記録媒体１は、折り曲げても破損することなく使用できる印刷可能なシート状の印刷体２を備える。印刷体２は紙である。なお、印刷体２は、紙ではなくシート状に形成されたプラスチックフィルム等であってもよい。要するに、印刷体は、折り曲げても破損することなく使用できる印刷可能なシート状に形成されたものであればよい。
【００４１】
印刷体２は、図１（Ａ）に示すように、印刷用情報が印刷される印刷部３を備える。印刷部３は、印刷体２の一方の面（表面）に設けられている。
ここで、印刷用情報とは、印刷部３に印刷することができる情報であればどのようなものでもよく、本実施形態では写真Ｐのことをいう。
【００４２】
また、印刷体２は、図１（Ｂ）に示すように、磁気媒体にて構成される記録部４を備える。記録部４は、印刷体２の他方の面（裏面）に設けられ、印刷体２の一辺に沿って印刷体２の裏面の中央に配置されている。
ここで、データとは、文書や写真、動画、音楽等、記録部４に記録できる情報であればどのようなものでもよく、本実施形態では写真Ｐのデータである。
記録部４は、例えば１平方インチに約２０１ギガビットのデータを保存することができる磁気テープであり、本実施形態では写真Ｐのデータが記録されている。なお、記録部４は磁気テープでなくてもよく、磁気媒体にて構成されていれば、どのようなものであってもよい。
【００４３】
印刷体２は、表面に印刷部３を備え、裏面に記録部４を備えるため、写真Ｐ（印刷用情報）と写真Ｐのデータとを一つの記録媒体１に印刷し記録することができる。
なお、以下の説明において、印刷体２にて写真Ｐが印刷される印刷部３が設けられた面を表面とし、印刷体２にて記録部４が設けられるとともに写真Ｐが印刷されていない面を裏面として記載することがある。
【００４４】
図２は、第１実施形態に係る情報記録システムを示すシステム図である。
図２に示すように、情報記録システム１００は、記録媒体１への印刷用情報およびデータの書き込みを実行するライタ５と、記録媒体１に記録されたデータの読み取りを実行するリーダ６と、を備える。
なお、以下の説明において、ライタ５による記録媒体１における印刷部３への印刷用情報の印刷および記録部４へのデータの記録を、記録媒体１への書き込み、とする場合がある。
【００４５】
情報記録システム１００では、ライタ５は、記録媒体１への書き込みを実行する。ライタ５にて書き込みが実行された記録媒体１は、例えば折り曲げて封筒に入れて切手を貼った後、ポストに投函して郵送される。リーダ６は、郵送されてきた記録媒体１に記録されたデータを読み取る。なお、記録媒体１は、手渡しされてもよい。
【００４６】
ライタ５は、印刷用情報である写真Ｐを印刷部３（図１（Ａ）参照）に印刷するプリンタ部７と、写真Ｐのデータを記録部４（図１（Ｂ）参照）に記録する磁気ライタ部８と、を備える。
プリンタ部７は、印刷用情報である写真Ｐを印刷部３に印刷する手段であり、インクジェットプリンタである。なお、プリンタ部７は、インクジェットプリンタではなく、レーザープリンタや熱転写プリンタであってもよい。要するに、プリンタ部は、印刷用情報を印刷部３に印刷することができればどのような手段であってもよい。
磁気ライタ部８は、磁気媒体（磁気テープ）である記録部４に写真Ｐのデータを記録する。
【００４７】
ライタ５は、記憶手段９と、プリンタ部７および磁気ライタ部８を制御する制御手段５０と、をさらに備える。
記憶手段９は、データを記憶する手段であり、印刷部３に印刷し記録部４に記録する写真Ｐのデータを一時的に記憶する。制御手段５０は、記憶手段９に記憶された写真Ｐのデータに基づいてプリンタ部７および磁気ライタ部８を制御する。
制御手段５０は、データ記憶部５１と、磁気ライタ制御部５２と、印刷用情報抽出部５３と、プリンタ制御部５４と、を備える。
【００４８】
データ記憶部５１は、使用者の選択したデータを記憶手段９に記憶させる。磁気ライタ制御部５２は、磁気ライタ部８を制御してデータを記録部４に記録させる。印刷用情報抽出部５３は、データから印刷用情報を抽出する。プリンタ制御部５４は、プリンタ部７を制御して印刷用情報抽出部５３により抽出された印刷用情報を印刷部３に印刷させる。
【００４９】
図３は、第１実施形態に係るライタを示す図であり、図４は、第１実施形態に係るライタの断面図である。具体的には、図４は、図３におけるＡ−Ａ断面におけるライタ５の断面図である。
ライタ５は、一般的なプリンタやスキャナ等が備える用紙ガイド１０１を備える。用紙ガイド１０１は、図３に示すように、所定の位置にセットされた記録媒体１に対して、その両側から中央に向かってスライドさせることにより、セットされた記録媒体１をライタ５の中央に配置するように固定する。
そして、プリンタ部７および磁気ライタ部８は、図４に示すように、記録媒体１における印刷体２を挟んで向かい合せて配置されている。
【００５０】
プリンタ部７は、ライタ５にセットされた記録媒体１における印刷部３の端辺から印刷用情報を印刷する。プリンタ部７は、図３に示すように、記録媒体１の送り方向と直交する方向（紙面左右方向）に摺動して印刷部３に印刷用情報を印刷する。なお、プリンタ部は、記録媒体１の送り方向と直交する方向に摺動して印刷部３に印刷用情報を印刷せずに、記録媒体１の送り方向と同じ方向に摺動してもよいし、印刷部３の全面にインクを吹き付けることで摺動せずに印刷用情報を印刷してもよい。要するに、プリンタ部は、印刷部に印刷用情報を印刷することができればよい。
磁気ライタ部８は、プリンタ部７が印刷用情報を印刷部３に印刷するのと同時に記録部４にデータを記録する。磁気ライタ部８は、記録媒体１の送り方向と平行な方向にデータを記録する。
【００５１】
記録媒体１における記録部４は、印刷体２の一辺に沿って印刷体２の裏面の中央であり、記録媒体１の送り方向と平行に配置されるとともに磁気ライタ部８と対向する位置に配置されている。したがって、記録媒体１の大きさが例えばＡ４サイズやＢ５サイズ等と異なったサイズであったとしても、記録媒体１における印刷面２の裏面の中央に配置された記録部４に対して、磁気ライタ部８は確実にデータを記録することができる。
【００５２】
図５は、第１実施形態に係るライタを制御するソフトウェアの図であり、図６は、第１実施形態に係るライタの制御方法を示すフローチャートである。
以下、ライタ５による記録媒体１への書き込み方法について図５，６を参照して説明する。
【００５３】
ライタ５は、パーソナルコンピュータにインストールされたソフトウェアにて制御することができる。なお、ライタ５を制御するソフトウェアは、パーソナルコンピュータではなく、スマートフォンや専用端末など、どのようなものにインストールされていてもよい。
【００５４】
ライタ５を制御するソフトウェアの操作画面Ｇは、図５に示すように、選択領域Ｗと、情報抽出アイコンＩ１，Ｉ２，Ｉ３，Ｉ４と、記録媒体１への書き込みを実行するＳＴＡＲＴボタンＳと、を備える。また、パーソナルコンピュータは、複数のデータが保存されたデータフォルダＤをソフトウェアの操作画面Ｇとともに表示する。データフォルダＤ内の複数のデータは、パーソナルコンピュータ内に保存されているデータやＵＳＢメモリやマイクロＳＤなどの外部メモリに保存されているデータである。
選択領域Ｗは、データフォルダＤ内から使用者の選択によりデータをドラッグ、または、指定されることで記録媒体１に書き込みをするデータを入力する。
【００５５】
情報抽出アイコンＩ１，Ｉ２，Ｉ３，Ｉ４は、選択領域Ｗに入力されたデータから抽出する印刷用情報を使用者の選択により設定することができるアイコンである。具体的には、情報抽出アイコンＩ１は、選択領域Ｗに入力されたデータから画像（写真）を抽出し、情報抽出アイコンＩ２は、選択領域Ｗに入力されたデータからファイル名を抽出し、情報抽出アイコンＩ３は、選択領域Ｗに入力されたデータからデータが作成された日付を抽出し、情報抽出アイコンＩ４は、選択領域Ｗに入力されたデータからデータの作成者（撮影者）を抽出する。
選択領域Ｗに入力されたデータから印刷用情報が抽出された後、使用者は、記録媒体１にデータの書き込みを実行したいタイミングにてＳＴＡＲＴボタンＳを押下できる。ＳＴＡＲＴボタンＳが押下されると、ライタ５は記録媒体１へデータの書き込みを実行する。
【００５６】
具体的には、先ず、使用者は、ライタ５を制御するソフトウェアの操作画面Ｇを起動する。操作画面Ｇは、情報抽出アイコンＩ１があらかじめ選択された状態で起動する。情報抽出アイコンＩ１，Ｉ２，Ｉ３，Ｉ４は、いずれか一つのアイコンが選択されている状態となっている。使用者は、情報抽出アイコンＩ１，Ｉ２，Ｉ３，Ｉ４から写真ＰのデータＦから抽出したい印刷用情報を選択する。
【００５７】
ここで、例えば情報抽出アイコンＩ１を選択すると写真ＰのデータＦから「写真Ｐ（画像）」が抽出され、記録媒体１における印刷部３には写真Ｐが印刷用情報として印刷される。情報抽出アイコンＩ２を選択すると写真ＰのデータＦから「ファイル名」が抽出され、記録媒体１における印刷部３には写真Ｐのファイル名が印刷用情報として印刷される。情報抽出アイコンＩ３を選択すると写真ＰのデータＦから「日付」が抽出され、印刷部３には写真Ｐが撮影された日付が印刷用情報として印刷される。また、情報抽出アイコンＩ４を選択すると写真ＰのデータＦから「撮影者」が抽出され、印刷部３には写真Ｐの撮影者の名前が印刷用情報として印刷される。
【００５８】
さらに、情報抽出アイコンＩ１，Ｉ２，Ｉ３，Ｉ４は、複数選択することができ、例えば情報抽出アイコンＩ１と情報抽出アイコンＩ３とを選択した場合、写真ＰのデータＦから「写真」および「日付」が抽出され、記録媒体１における印刷部３には「写真」および「日付」が印刷される。
なお、ソフトウェアは、例えば「撮影地」や「天気」等、情報抽出アイコンの数を増やして抽出できる印刷用情報の種類を増やしてもよいし、減らしてもよい。また、印刷用情報抽出部５３は、あらかじめの設定により、選択領域Ｗに入力されたデータから特定の印刷用情報を自動的に抽出してもよい。要するに、印刷用情報抽出部は、データから印刷用情報を抽出できればよい。
【００５９】
次に、使用者は、記録媒体１に書き込みをしたい写真ＰのデータＦをデータフォルダＤ内から選択し、選択領域Ｗにドラッグ、または、指定することによって入力する。この際、ソフトウェアは、図６に示すように、選択領域Ｗにデータが入力されたか否かを判定する（ステップＳＴ０１）。ソフトウェアは、選択領域Ｗにデータが入力されたと判定した場合（ステップＳＴ０１でＹＥＳ）、写真ＰのデータＦを記憶手段９に記憶させるデータ記憶工程を実行する（ステップＳＴ０２）。ソフトウェアは、選択領域Ｗにデータが入力されていないと判定した場合（ステップＳＴ０１でＮＯ）、選択領域Ｗにデータが入力されるまで選択領域Ｗにデータが入力されたか否かを判定する（ステップＳＴ０１）。
【００６０】
続いて、印刷用情報抽出部５３は、選択領域Ｗに写真ＰのデータＦが入力されると情報抽出アイコンＩ１で選択した印刷用情報である写真Ｐを抽出する印刷用情報抽出工程を実行する（ステップＳＴ０３）。印刷用情報抽出部５３は、抽出した写真Ｐについても記憶手段９に記憶させる。
【００６１】
印刷用情報抽出部５３が写真ＰのデータＦから写真Ｐを抽出し記憶手段９に記憶させた後、使用者は、図５に示すように、ＳＴＡＲＴボタンＳを押下してライタ５による記録媒体１へデータＦの書き込みを実行する。この際、ソフトウェアは、図６に示すように、ＳＴＡＲＴボタンＳが押下されたか否かを判定する（ステップＳＴ０４）。ソフトウェアは、ＳＴＡＲＴボタンＳが押下されたと判定した場合（ステップＳＴ０４でＹＥＳ）、記憶手段９に記憶されたデータおよび印刷用情報に基づき記録媒体１へデータＦの書き込みをする書き込み工程を実行する（ステップＳＴ０５）。ソフトウェアは、ＳＴＡＲＴボタンＳが押下されていないと判定した場合（ステップＳＴ０４でＮＯ）、ＳＴＡＲＴボタンＳが押下されるまで記録媒体１へのデータの書き込みを実行せずにライタ５を待機させる。
【００６２】
ＳＴＡＲＴボタンＳが押下され書き込み工程が実行されると（ステップＳＴ０５）、磁気ライタ制御部５２は、磁気ライタ部８を制御し、記録媒体１における記録部４に写真ＰのデータＦを記録する。そして、プリンタ制御部５４は、プリンタ部７を制御し、印刷用情報抽出工程にて抽出された写真Ｐを記録媒体１における印刷部３に印刷する。この際、プリンタ部７および磁気ライタ部８は、記録媒体１に対して同時に書き込みを実行する。
【００６３】
ライタ５は、印刷用情報抽出部５３により一つのデータから印刷用情報を抽出するとともに印刷部３にその印刷用情報を印刷し、記録部４には印刷用情報の抽出元となったデータを記録するため、印刷用情報とデータとを関連付けることができる。これにより、ライタ５は、記録媒体１へのデータの書き込みにおいて、印刷用情報とデータとの取り違いを防ぐことができる。
【００６４】
図７は、第１実施形態に係るリーダを示す図である。
ライタ５により記録媒体１における記録部４に記録された写真ＰのデータＦは、リーダ６により読み取ることができる。リーダ６は、パーソナルコンピュータに記録部４に記録された写真ＰのデータＦを取り込むことができる。
【００６５】
リーダ６は、図７に示すように、記録部４に記録されたデータを読み取る磁気リーダ部６０を備える。リーダ６は、ライタ５とは別体である。なお、リーダ６は、例えば一般的なプリンタやスキャナ等が複合された複合機にライタ５とともに設けられていてもよい。すなわち、本実施形態では、ライタ５およびリーダ６は別体であるが、ライタおよびリーダは一体であってもよい。要するに、情報記録システムは、ライタおよびリーダを備えていればよい。
【００６６】
リーダ６は、一般的なプリンタやスキャナ等が備える用紙ガイド１０２を備える。用紙ガイド１０２は、所定の位置にセットされた記録媒体１に対して、その両側から中央に向かってスライドさせることにより、セットされた記録媒体１をリーダ６の中央に配置するように固定する。
【００６７】
記録媒体１における記録部４は、印刷体２の一辺に沿って印刷体２の裏面の中央であり、記録媒体１の送り方向と平行に配置されるとともに磁気リーダ部６０と対向する位置に配置されている。
このため、記録媒体１の大きさが例えばＡ４サイズやＢ５サイズ等と異なったサイズであったとしても、磁気リーダ部６０は、記録媒体１における印刷面２の裏面の中央に配置された記録部４から確実にデータを読み取ることができる。
【００６８】
このように、情報記録システム１００は、記録媒体１に書き込みを実行するライタ５と、ライタ５により書き込まれたデータを読み取るリーダ６と、を備えるため、使用者は、記録媒体１に、任意の印刷用情報を印刷するとともに印刷用情報と関連するデータを記録することができる。したがって、使用者は、記録媒体１を用いて、ネットワークを介さずに、自由かつ簡単にデータのやり取りをすることができる。
【００６９】
このような本実施形態によれば、以下の作用・効果を奏することができる。
（１）折り曲げても破損することなく使用できるシート状の印刷体２は、印刷用情報が印刷される印刷部３と、データを記録する記録部４と、を備えるため、使用者が任意の状態に記録媒体１を折り曲げて使用することができる。
（２）記録媒体１は、紙であることにより、ポストに投函して郵送したり、手渡ししたりすること等ができるため、記録媒体１に記録されたデータのやり取りを簡単にすることができる。
【００７０】
（３）記録媒体は、シート状（紙）の印刷体２を備えるため、印刷用情報を印刷部３に印刷したり、データを記録部４に記録することができるライタ５やデータを読み取るリーダ６に対して、複数の記録媒体１を重ねて設置することができる。したがって、使用者は、記録媒体１に対して、印刷用情報を印刷部３に印刷したり、データを記録部４に記録したり、データを読み取ったりする都度、記録媒体１を設置することなく、連続で印刷用情報を印刷部３に印刷したり、データを記録部４に記録したり、データを読み取ったりすることができる。
【００７１】
（４）記録媒体１は、ネットワークを介することなく必要な情報を記録部４に記録することができる。したがって、記録媒体１は、データを添付したメールの誤送信やインターネット等によるデータの流出を防ぎ、セキュリティーの向上を図ることができる。
（５）印刷部３および記録部４は、同一の印刷体２上に構成されるため、関連付けの誤りによるデータの取り違いを抑制することができる。
【００７２】
（６）印刷体２は、紙であるため、記録媒体１を安価に提供することができる。
（７）印刷体２は、任意の大きさに切断したり、折り曲げたりすることができるため、記録媒体１の形状における設計の自由度を向上させることができる。
（８）印刷体２は、紙であることにより、切断したり破いたり燃やしたりすることが容易にできるため、記録媒体１を簡単に廃棄することができる。
【００７３】
（９）記録媒体１にデータを記録するライタ５およびデータを読み取るリーダ６が一般的なプリンタやスキャナ等の中央に配置されるとともに用紙ガイド１０１，１０２の間に配置されていた場合、記録媒体１の大きさが例えばＡ４サイズやＢ５サイズ等と異なったサイズであったとしても、印刷体２の面の中央に記録部４が配置されているため、ライタ５は確実に記録部４にデータを記録することができ、リーダ６は確実に記録部４からデータを読み取ることができる。
【００７４】
（１０）情報記録システム１００におけるライタ５は、プリンタ部７と磁気ライタ部８とを備えるため、プリンタ部７が印刷用情報を印刷部３に印刷する際に、磁気ライタ部８によりデータを記録部４に記録することができる。したがって、ライタ５は、記録媒体１における印刷用情報およびデータとの関連付けの誤りによるデータの取り違いを抑制することができる。
（１１）リーダ６は、記録部４に記録されたデータを読み取る磁気リーダ部６０を備えるため、必要な情報を記録媒体１の記録部４から読み取ることができる。
【００７５】
（１２）ライタ５におけるプリンタ部７および磁気ライタ部８は、印刷体２を挟んで向かい合せて配置され、本発明の記録媒体１は、印刷体２の一方の面に印刷部３が設けられ、印刷体２の他方の面に記録部４が設けられているため、印刷用情報の印刷とデータの記録とを同時に実行することができ、記録媒体１の作成に要する時間を短縮することができる。
【００７６】
（１３）制御手段５０は、使用者の選択したデータを記憶手段９に記憶させるデータ記憶部５１と、磁気ライタ部８を制御してデータを記録部４に記録させる磁気ライタ制御部５２と、プリンタ部７を制御して印刷用情報抽出部５３により抽出された印刷用情報を印刷部３に印刷させるプリンタ制御部５４と、を備えるため、印刷用情報とデータとを関連付けて記録媒体１を作成することができる。したがって、ライタ５は、記録媒体１を作成する際の関連付けの誤りによるデータの取り違いを抑制することができる。
【００７７】
〔第２実施形態〕
以下、本発明の第２実施形態を図８に基づいて説明する。なお、以下の説明では、既に説明した部分については、同一符号を付してその説明を省略する。
【００７８】
図８は、第２実施形態に係る記録媒体を示す図である。具体的には、図８（Ａ）は、記録媒体１Ａの表面を示す図であり、図８（Ｂ）は記録媒体１Ａの裏面を示す図である。
前記第１実施形態の記録媒体１における記録部４は、印刷体２の一辺に沿って印刷体２の裏面の中央に配置されていた。
本実施形態の記録媒体１Ａは、図８（Ａ）に示すように、前記第１実施形態と同様に、表面に印刷部３を備える。しかしながら、記録媒体１Ａは、図８（Ｂ）に示すように、印刷体２Ａの一辺に沿って印刷体２Ａの端部に記録部４Ａを配置している点で、前記第１実施形態と異なる。また、印刷体２Ａは、記録部４Ａに沿って、記録部４Ａを切り離すためのミシン目Ｌを備えている点で前記第１実施形態と異なる。
【００７９】
このような本実施形態においても、前記第１実施形態における（１）〜（８），（１０）〜（１３）と同様の作用、効果を奏することができる他、以下の作用、効果を奏することができる。
【００８０】
（１４）記録部４Ａは、印刷体２Ａの一辺に沿って印刷体２Ａの端部に配置されているため、記録媒体１Ａを折り曲げる加工をする場合は、記録部４Ａを避けて加工することができ、記録媒体１Ａは、記録部４Ａの破損を防ぐことができる。
（１５）記録媒体１Ａから記録部４Ａを切り離したい場合、記録部４Ａは印刷体２Ａの一辺に沿って印刷体２Ａの端部に配置されているため、あらかじめ記録部４Ａに沿ってミシン目Ｌを付けておくことで、それに沿って破いたり、ハサミで切断することによって、簡単に記録媒体１Ａから記録部４Ａを切り離すことができる。
【００８１】
〔第３実施形態〕
以下、本発明の第３実施形態を図９〜図１２に基づいて説明する。なお、以下の説明では、既に説明した部分については、同一符号を付してその説明を省略する。
【００８２】
図９は、第３実施形態に係る記録媒体を示す図であり、図１０は、第３実施形態に係る情報記録システムを示すシステム図である。
前記第１実施形態では、記録媒体１における印刷部３には印刷用情報である写真Ｐが印刷され、記録部４には写真ＰのデータＦが記録され、互いに関連のあるデータが一つの記録媒体１に書き込まれていた。
本実施形態では、図９に示すように、記録媒体１Ｂにおける印刷部３には記録媒体１Ｂを郵送する郵送先の宛名が印刷され、記録部４には、例えば運動会の動画が記録され、互いに関連のないデータが一つの記録媒体１Ｂに書き込まれている点で前記第１実施形態と異なる。
【００８３】
また、前記第１実施形態のライタ５は、データを記憶する記憶手段９と、プリンタ部７および磁気ライタ部８を制御する制御手段５０と、を備え、制御手段５０は、使用者の選択したデータを記憶手段９に記憶させるデータ記憶部５１と、磁気ライタ部８を制御してデータを記録部４に記録させる磁気ライタ制御部５２と、データから印刷用情報を抽出する印刷用情報抽出部５３と、プリンタ部７を制御して印刷用情報抽出部５３により抽出された印刷用情報を印刷部３に印刷させるプリンタ制御部５４と、を備えていた。
【００８４】
本実施形態のライタ５Ｂは、図１０に示すように、複数のデータを記憶する記憶手段９Ｂと、プリンタ部７および磁気ライタ部８を制御する制御手段５０Ｂと、を備え、制御手段５０Ｂは、使用者の選択した第１のデータと、第１のデータとは異なるデータであり、使用者の選択した第２のデータと、を記憶手段９Ｂに記憶させるデータ記憶部５１Ｂと、磁気ライタ部８を制御して第１のデータを記録部４に記録させる磁気ライタ制御部５２Ｂと、プリンタ部７を制御して第２のデータを印刷用情報として印刷部３に印刷させるプリンタ制御部５４Ｂと、を備える点で前記第１実施形態と異なる。また、制御手段５０Ｂは、印刷用情報抽出部５３を備えていない点で前記第１実施形態と異なる。
【００８５】
情報記録システム１００Ｂでは、ライタ５Ｂは、記録媒体１Ｂへの書き込みを実行する。ライタ５Ｂにて書き込みが実行された記録媒体１Ｂは、例えば切手を貼った後、ポストに投函して郵送される。リーダ６は、郵送されてきた記録媒体１に記録されたデータを読み取る。なお、記録媒体１Ｂは、折り曲げてもよいし手渡しされてもよい。また、前記第１実施形態と同様に、本実施形態のライタ５Ｂおよびリーダ６は別体であるが、ライタおよびリーダは一体であってもよい。要するに、情報記録システムは、ライタおよびリーダを備えていればよい。
【００８６】
図１１は、第３実施形態に係るライタを制御するソフトウェアの図であり、図１２は、第３実施形態に係るライタの制御方法を示すフローチャートである。
以下、ライタ５Ｂによる記録媒体１Ｂへの書き込み方法について図１１，１２を参照して説明する。
【００８７】
本実施形態においてライタ５Ｂは、前記第１実施形態と同様に、パーソナルコンピュータにインストールされたソフトウェアにて制御することができる。なお、ライタ５Ｂを制御するソフトウェアは、パーソナルコンピュータではなく、スマートフォンや専用端末など、どのようなものにインストールされていてもよい。
【００８８】
ライタ５Ｂを制御するソフトウェアの操作画面Ｇ２は、図１１に示すように、第１のデータを入力する選択領域Ｗ２と、第２のデータを入力する選択領域Ｗ３と、記録媒体１Ｂへの書き込みを実行するＳＴＡＲＴボタンＳと、を備える。また、パーソナルコンピュータは、複数のデータが保存されたデータフォルダＤ２をソフトウェアの操作画面Ｇ２とともに表示する。データフォルダＤ２内の複数のデータは、パーソナルコンピュータ内に保存されているデータやＵＳＢメモリやマイクロＳＤなどの外部メモリに保存されているデータである。
【００８９】
選択領域Ｗ２，Ｗ３には、データフォルダＤ２内から使用者の選択により第１のデータおよび第２のデータをドラッグ、または、指定されることで記録媒体１Ｂに書き込みをするデータを入力する。
本実施形態では、第１のデータを運動会の動画のデータＦ２とし、第２のデータを記録媒体１Ｂを郵送する郵送先の宛名のテキストデータＦ３とし、選択領域Ｗ２に動画のデータＦ２を入力し、選択領域Ｗ３にテキストデータＦ３を入力する。
【００９０】
選択領域Ｗ２に動画のデータＦ２が入力され、選択領域Ｗ３にテキストデータＦ３が入力された後、使用者は、記録媒体１Ｂにデータの書き込みを実行したいタイミングにてＳＴＡＲＴボタンＳを押下できる。ＳＴＡＲＴボタンＳが押下されると、ライタ５Ｂは記録媒体１Ｂへデータの書き込みを実行する。
【００９１】
具体的には、先ず、使用者は、ライタ５Ｂを制御するソフトウェアの操作画面Ｇ２を起動する。次に、使用者は、記録媒体１Ｂの記録部４に記録したいデータ（第１のデータ）である動画のデータＦ２をデータフォルダＤ２内から選択し、選択領域Ｗ２にドラッグ、または、指定することによって入力する。また、使用者は、記録媒体１Ｂの印刷部３に印刷したい印刷用情報（第２のデータ）としてテキストデータＦ３をデータフォルダＤ２内から選択し、選択領域Ｗ３にドラッグ、または、指定することによって入力する。
【００９２】
この際、ソフトウェアは、図１２に示すように、選択領域Ｗ２，Ｗ３にデータＦ２，Ｆ３が入力されたか否かを判定する（ステップＳＴ１１）。ソフトウェアは、選択領域Ｗ２，Ｗ３にデータＦ２，Ｆ３が入力されたと判定した場合（ステップＳＴ１１でＹＥＳ）、データ記憶部５１Ｂは、動画のデータＦ２を第１のデータとして、テキストデータＦ３を第２のデータとして、記憶手段９Ｂに記憶させるデータ記憶工程を実行する（ステップＳＴ１２）。ソフトウェアは、選択領域Ｗ２，Ｗ３にデータＦ２，Ｆ３が入力されていないと判定した場合（ステップＳＴ１１でＮＯ）、選択領域Ｗ２，Ｗ３にデータＦ２，Ｆ３が入力されるまで選択領域Ｗ２，Ｗ３にデータＦ２，Ｆ３が入力されたか否かを判定する（ステップＳＴ１１）。
【００９３】
データ記憶部５１Ｂがデータ記憶工程（ステップＳＴ１２）を実行した後、使用者は、ＳＴＡＲＴボタンＳを押下してライタ５Ｂによる記録媒体１ＢへデータＦの書き込みを実行する。この際、ソフトウェアは、ＳＴＡＲＴボタンＳが押下されたか否かを判定する（ステップＳＴ１３）。ソフトウェアは、ＳＴＡＲＴボタンＳが押下されたと判定した場合（ステップＳＴ１３でＹＥＳ）、書き込み工程を実行する（ステップＳＴ１４）。ソフトウェアは、ＳＴＡＲＴボタンＳが押下されていないと判定した場合（ステップＳＴ１３でＮＯ）、ＳＴＡＲＴボタンＳが押下されるまで記録媒体１Ｂへの書き込みを実行せずにライタ５Ｂを待機させる。
【００９４】
ＳＴＡＲＴボタンＳが押下され書き込み工程が実行されると（ステップＳＴ１４）、磁気ライタ制御部５２Ｂは、磁気ライタ部８を制御し、記録媒体１Ｂにおける記録部４に対して記憶手段９Ｂに第１のデータとして記憶された動画のデータＦ２を記録する。そして、プリンタ制御部５４Ｂは、プリンタ部７を制御し、記憶手段９Ｂに第２のデータとして記憶されたテキストデータを印刷用情報として記録媒体１Ｂにおける印刷部３に印刷する。この際、プリンタ部７および磁気ライタ部８は、記録媒体１Ｂに対して同時に書き込みを実行する。
ライタ５Ｂにより作成された記録媒体１Ｂにおける記録部４に記録された第１のデータである動画のデータＦ２は、リーダ６により読み取ることができる。
【００９５】
このように、情報記録システム１００Ｂは、記録媒体１Ｂに書き込みを実行するライタ５Ｂと、ライタ５Ｂにより書き込まれたデータを読み取るリーダ６と、を備えるため、使用者は、記録媒体１Ｂに、任意の印刷用情報を印刷するとともに、印刷用情報とは関連のない任意のデータを記録することができる。したがって、使用者は、記録媒体１Ｂを用いて、ネットワークを介さずに、自由かつ簡単にデータのやり取りをすることができる。
【００９６】
このような本実施形態においても、前記第１実施形態における（１）〜（１２）と同様の作用、効果を奏することができる他、以下の作用、効果を奏することができる。
（１６）制御手段５０Ｂは、データ記憶部５１Ｂにて記憶手段９Ｂに記憶された第１のデータを記録部４に記録する磁気ライタ制御部５２Ｂと、データ記憶部５１Ｂにて記憶手段９Ｂに記憶された第２のデータを印刷用情報として印刷部３に印刷させるプリンタ制御部５４Ｂと、を備えるため、記録媒体１Ｂにおける印刷部３にはデータを郵送する郵送先の宛名を印刷し、記録部４には動画のデータを記録させる等、互いに関連のないデータを記録媒体１Ｂに印刷または記録させることができる。したがって、ライタ５Ｂは、記録媒体１Ｂの用途の自由度を向上することができる。
【００９７】
〔実施形態の変形〕
なお、本発明は、前記各実施形態に限定されるものではなく、本発明の目的を達成できる範囲での変形、改良等は本発明に含まれるものである。
例えば、前記各実施形態では、記録媒体１，１Ａ〜１Ｂにおける印刷部３，３Ａは、印刷体２，２Ａの表面に設けられ、記録部４，４Ａは、印刷体２，２Ａの裏面に設けられていたが、記録媒体における印刷部および記録部は、同一の面に設けられていてもよい。
【００９８】
前記第１実施形態では、記録部４は印刷体２の一辺に沿って印刷体２の裏面の中央に配置され、前記第２実施形態では、記録部４Ａは印刷体２Ａの一辺に沿って印刷体２Ａの端部に配置されていたが、記録部は、印刷体の一方の面の全面に配置されていてもよいし、印刷体の一辺に沿わさずに斜めに配置してもよいし、任意の形状に成型された磁気媒体を印刷体の面において任意の位置に配置してもよい。さらに、これらの記録部は、記録媒体における印刷体の両面に配置してもよい。要するに、記録部は、磁気媒体で構成され印刷体の面に設けられていればよい。
前記第２実施形態では、記録媒体１Ａにはミシン目Ｌが設けられていたが、ミシン目は設けられていなくてもよい。
【００９９】
前記各実施形態では、ライタ５，５Ｂにおけるプリンタ部７および磁気ライタ部８は、記録媒体１，１Ａ〜１Ｂにおける印刷体２，２Ａを挟んで向かい合せて配置されていたが、プリンタ部および磁気ライタ部は、印刷体を挟んで向かい合せて配置されていなくてもよく、プリンタ部および磁気ライタ部を並べて配置してもよい。さらに、プリンタ部と磁気ライタ部とは別体であってもよく、ライタは、磁気ライタ部による記録部へのデータの記録と、プリンタ部による印刷部への印刷用情報の印刷と、を別々に行ってもよい。要するに、ライタは、記録媒体における印刷部に対応する位置に設けられたプリンタ部および記録媒体における記録部に対応する位置に設けられた磁気ライタ部を備えていれば、それぞれを任意の位置に配置してもよい。
【０１００】
また、ライタは、磁気ライタ部のみを備えていてもよい。ライタが磁気ライタ部のみを備えている場合、使用者は、記録媒体の印刷部に対して、手描きで文字や絵を書き込んだり、スタンプを押すなど、自由に書き込みをすることができる。要するに、情報記録システムにおけるライタは、磁気ライタ部を備えていればよい。
【０１０１】
前記第１実施形態および前記第３実施形態では、プリンタ部７および磁気ライタ部８は、記録媒体１，１Ｂに対して同時にデータの書き込みを実行していたが、プリンタ部および磁気ライタ部は、記録媒体に対して同時にデータの書き込みを実行しなくてもよい。要するに、プリンタ部は、印刷用情報を印刷部に印刷し、磁気ライタ部は、データを記録部に記録することができればよい。
【０１０２】
前記第１実施形態では、データとして写真Ｐを記録媒体１における印刷部３に印刷し、写真ＰのファイルＦを記録媒体１における記録部４に記録し、前記第３実施形態では、第１のデータとして運動会の動画のデータＦ２を記録部４に記録し、第２のデータとして記録媒体１Ｂを郵送する郵送先の宛名のテキストデータＦ３を印刷用情報として印刷部３に印刷したが、印刷部に印刷することができ、記録部に記録することができるデータであればどのようなデータであってもよい。
【０１０３】
例えば、記録媒体における印刷部に歌の歌詞を印刷し、記録部にその歌詞を有する曲のファイルを記録してもよい。また、印刷部に報告書を印刷し、記録部にその報告書のファイルや補足資料のファイルを記録してもよい。印刷部にカタログを印刷し記録部に宣伝動画を記録してもよいし、印刷部に名刺情報を印刷し記録部にメールアドレスや企業のホームページのＵＲＬ、個人の売り込み動画を記録してもよい。さらに、印刷部に払込票や請求書等を印刷し記録部に支払情報を記録してもよいし、印刷部に納品書を印刷し記録部に返品交換情報を記録してもよい。また、印刷部に印刷される印刷用情報と記録部に記録されるデータとは、関連があってもよいし、全く関連のないものであってもよい。
【０１０４】
また、前記第３実施形態では、制御手段５０Ｂにおける磁気ライタ制御部５２Ｂは、第１のデータとして１つの動画を記録していたが、第１のデータとして複数のデータを記録部に記録してもよい。例えば複数のデータを記録部に記録し、複数のデータのファイル名を印刷部に印刷してもよい。
【０１０５】
さらに、前記第１実施形態では、ソフトウェアは、情報抽出アイコンＩ１〜Ｉ４（印刷用情報抽出部５３）を備え、選択領域Ｗに入力された一つのデータから印刷用情報を抽出していたが、大量のデータからなるデータベースから印刷用情報を抽出してもよく、この場合、情報抽出アイコンＩ１〜Ｉ４はなくてもよい。
ここで、データベースとは、大量のデータを整理したものであり、大量のデータとは、例えば商品の品名や、商品番号、商品の個数、商品の写真などである。データベースは、大量のデータについて、例えば表計算ソフトを用いて、行方向に商品の品名、商品番号、商品の個数、商品の写真などの情報を分類し、列方向に商品のそれぞれのデータを格納している。
【０１０６】
データベースを選択領域Ｗに入力する場合、印刷用情報抽出部は、データベースに基づき、例えば商品の品名、商品番号、商品の個数、商品の写真の画像を印刷用情報として抽出し、プリンタ制御部は、プリンタ部を制御しこれらの印刷用情報を印刷部に印刷する。また、磁気ライタ制御部は、データベースに基づき、商品の品名、商品番号、商品の個数のテキストデータおよび商品の写真のデータについて磁気ライタ部を制御して記録部に記録させる。この際、記録媒体への書き込みは、例えば表計算ソフトにおける一行ごとに実行され、商品に関するデータベースであった場合、商品ごとに記録媒体への書き込みが実行される。
【０１０７】
これにより、データを一つ一つ選択領域Ｗに入力しなくても、データベースを選択領域Ｗに入力することで、データベースに格納されたデータを一度に読み込むことができ、一つの作業で多くの記録媒体に書き込みを連続して実行することができる。したがって、ライタは、多くのデータを複数の記録媒体に記録しなければならない場合、効率的に書き込みを実行することができる。
【０１０８】
さらに、前記第３実施形態では、記録媒体１，１Ｂへのデータの書き込みに際して、選択領域Ｗ２，Ｗ３のそれぞれに一つずつデータＦ２，Ｆ３を入力していたが、それぞれにデータベースを入力することにより、データベースに基づいて複数の記録媒体に書き込みを連続して実行してもよい。
選択領域Ｗ２，Ｗ３にデータベースを入力することで、データベースに基づき、ライタは、連続して記録媒体への書き込みを実行することができる。
要するに、記録媒体における印刷部には印刷をすることができ、記録部にはデータを記録することができればよい。
【０１０９】
前記第１実施形態および前記第３実施形態では、使用者は、記録媒体１，１Ｂにデータの書き込みを実行したいタイミングにてＳＴＡＲＴボタンＳを押下でき、ＳＴＡＲＴボタンＳが押下されると、ライタ５，５Ｂは記録媒体１，１Ｂへデータの書き込みを実行していた。また、ソフトウェアは、ＳＴＡＲＴボタンＳが押下されたか否かを判定し（ステップＳＴ０４，１３）、ＳＴＡＲＴボタンＳが押下されたと判定した場合（ステップＳＴ０４，１３でＹＥＳ）、書き込み工程を実行（ステップＳＴ０５，１４）していたが、ＳＴＡＲＴボタンＳおよびＳＴＡＲＴボタンＳが押下されたか否かの判定は、なくてもよい。
【０１１０】
この場合、ソフトウェアは、選択領域Ｗ〜Ｗ３にデータまたはデータベースがドラッグ、または、選択により入力されたことを判定し、選択領域Ｗ〜Ｗ３にデータまたはデータベースが入力されたと判定した場合、ライタによる記録媒体への書き込みを実行してもよい。要するに、ライタにより記録媒体への書き込みを実行することができれば、ソフトウェアはどのように構成されていてもよい。
【０１１１】
前記第３実施形態では、ソフトウェアは、選択領域Ｗ２，Ｗ３にデータＦ２，Ｆ３が入力されたか否かを判定していたが、選択領域Ｗ２，Ｗ３のどちらか一方にデータが入力されたか否かを判定してもよい。例えば選択領域Ｗ２に動画のデータＦ２が入力され、選択領域Ｗ３にはなにも入力されていない状態でＳＴＡＲＴボタンＳが押下された場合、ライタ５Ｂは、記録部４に動画のデータＦ２を記録し、印刷部３にはなにも印刷をしない。すなわち、ライタは、記録媒体における印刷部および記録部のどちらか一方だけにデータの書き込みをしてもよい。これにより、例えば記録媒体における印刷部に対してなにも印刷されなかった場合、使用者は、印刷部に手描きで情報を書き込むことができる。したがって、ソフトウェアは、記録媒体の使用の自由度を向上することができる。
【産業上の利用可能性】
【０１１２】
以上のように、本発明は、記録媒体およびこれを用いた情報記録システムに好適に利用できる。
【符号の説明】
【０１１３】
１，１Ａ〜１Ｂ        記録媒体
２，２Ａ              印刷体
３，３Ａ              印刷部
４，４Ａ              記録部
５，５Ｂ              ライタ
６                    リーダ
７                    プリンタ部
８                    磁気ライタ部
９，９Ｂ              記憶手段
５０，５０Ｂ          制御手段
５１，５１Ｂ          データ記憶部
５２，５２Ｂ          磁気ライタ制御部
５３                  印刷用情報抽出部
５４，５４Ｂ          プリンタ制御部
【図１】
2019121079.tif 000003
【図２】
2019121079.tif 000004
【図３】
2019121079.tif 000005
【図４】
2019121079.tif 000006
【図５】
2019121079.tif 000007
【図６】
2019121079.tif 000008
【図７】
2019121079.tif 000009
【図８】
2019121079.tif 000010
【図９】
2019121079.tif 000011
【図１０】
2019121079.tif 000012
【図１１】
2019121079.tif 000013
【図１２】
2019121079.tif 000014